(57)【要約】本発明は、ランプアセンブリに係り、ランプアセンブリは、少なくとも１つの導電性ランプキャップとともに設けられる放電ランプと、ランプキャップに圧力をかけて放電ランプを所定位置に保持するための少なくとも１つの導電性バイアス手段とともに設けられる放電ランプ保持器と、を有する。本発明はまた、かかるランプアセンブリに用いる放電ランプにも係る。本発明は更に、かかるランプアセンブリを構築する方法にも係る。
2008501219.tif 000002
【特許請求の範囲】
【請求項１】
ランプアセンブリであって：
少なくとも１つの導電性ランプキャップとともに設けられる放電ランプと、
少なくとも１つの導電性バイアス手段とともに設けられる放電ランプ保持器であり、前記の導電性バイアス手段は前記のランプキャップに圧力をかけて前記放電ランプを所定位置に保持する、ところの放電ランプ保持器と、
を有し、
前記ランプキャップは、該ランプキャップと前記のバイアス手段との間に適切な電気接触を確保する前記バイアス手段の多様な係合のため適合されることを特徴とする、ランプアセンブリ。
【請求項２】
前記導電性バイアス手段は、少なくとも部分的に板ばねによって形成されることを特徴とする、請求項１記載のアセンブリ。
【請求項３】
前記ランプキャップは反対側にある前記バイアス手段を係合するため適合されることを特徴とする、請求項１又は２記載のアセンブリ。
【請求項４】
前記ランプキャップは、
前記放電ランプのピンチへ接続され且つ前記バイアス手段の一つの側を係合するよう適合される基部と、
前記基部へ接続され且つ前記バイアス手段の反対側を係合するよう適合される対向部と、
を有することを特徴とする、請求項３記載のアセンブリ。
【請求項５】
前記基部及び前記対向部は、前記バイアス手段に形成される開口を通じて延在するペンを用いて相互接続されることを特徴とする、請求項４記載のアセンブリ。
【請求項６】
前記対向部は前記基部と取り外し可能に接続されることを特徴とする、請求項４又は５に記載のアセンブリ。
【請求項７】
前記基部と前記対向部との間の相互接続は調節可能であることを特徴とする、請求項４乃至６の何れか一項に記載のアセンブリ。
【請求項８】
前記基部と前記対向部との間の最小の相互接続距離は予め定められることを特徴とする、請求項７記載のアセンブリ。
【請求項９】
前記ランプキャップは複数の前記バイアス手段を用いて前記ランプ保持器へ結合され、複数の前記バイアス手段の各々は前記ランプキャップへ係合することを特徴とする、先行する請求項の何れか一項に記載のアセンブリ。
【請求項１０】
前記放電ランプは、２つの前記ランプキャップとともに設けられ、前記の各キャップは少なくとも１つの前記バイアス手段によって所定位置に保持されることを特徴とする、先行する請求項の何れか一項に記載のアセンブリ。
【請求項１１】
前記放電ランプは高輝度放電（ＨＩＤ）ランプによって形成されることを特徴とする、先行する請求項の何れか一項に記載のアセンブリ。
【請求項１２】
請求項１乃至１１の何れか一項に記載のランプアセンブリに用いる放電ランプ。
【請求項１３】
請求項４乃至８の何れか一項に記載のランプアセンブリを構成する方法であって：
前記放電ランプを所定位置に保持するため、前記放電ランプの前記ランプキャップの基部の前記バイアス手段によって圧力がかけられるよう、前記放電ランプを前記ランプ保持器に置くステップと、
前記バイアス手段と前記ランプキャップとの間の適切な電気接触を確保するよう、対向部を前記基部へ結合するステップと、
を有する方法。
【発明の詳細な説明】
【技術分野】
【０００１】
本発明は、ランプアセンブリに係り、ランプアセンブリは、少なくとも１つの導電性ランプキャップとともに設けられる放電ランプと、ランプキャップに圧力をかけて放電ランプを所定位置に保持するための少なくとも１つの導電性バイアス手段とともに設けられる放電ランプ保持器と、を有する。本発明はまた、かかるランプアセンブリに用いる放電ランプにも係る。本発明は更に、かかるランプアセンブリを構築する方法にも係る。
【背景技術】
【０００２】
従来技術では、放電ランプ、特にランプ保持器における高輝度放電（ＨＩＤ）ランプを、金属製の板ばねを用いてクランプすることが、知られている。板ばねは、それによって上記放電ランプの一部分を成す金属製ランプキャップへ圧力をかけ、放電ランプを所定位置に保持する。更に、上記板ばねはまた、電気機能を有するが、この金属製板ばねを介して、電力を上記放電ランプへ供給できる。一般に、これらの放電ランプは、両端型であり、それゆえ２つのランプキャップとともに設けられるが、ここで各ランプキャップは、別個の板ばねによって保持される。このやり方で形成されたランプアセンブリは、様々な応用に用いることができる。上述した知られたランプアセンブリは、しばしば娯楽産業においてディスコ及び劇場照明といったムード照明として用いられる。しかしながら、知られたランプアセンブリには、欠陥が幾つかある。知られたランプアセンブリの主要な欠陥は、ランプ保持器及び放電ランプの両方の寸法決めが、これら２つの構成部品間の十分且つ確実な電気接触を確保するため比較的重要であることだ。しかしながら、これら構成部品の寸法決めが最適ではない場合、板ばねと放電ランプのランプキャップとの間の（電気）接触が最小にされ、これら構成部品間の電気的な点（又は細線）接触を招く。点接触は、一般にランプとランプ保持器との間の局所アーキングへとつながり、局所温度の著しい上昇を招く。この著しい温度上昇に起因して、一般に酸化が、ランプキャップ及び板ばねの両方に起こり、ランプ（アセンブリ）の故障を早め且つそれゆえランプアセンブリが比較的短命となることにつながる。この酸化に起因して、ランプキャップ及びランプ保持器の両方が、損傷され得る。更に、放電ベセル及び２つのピンチ（pinch）のような放電ランプの特定部分が、一般に少なくとも部分的に（石英）ガラスから構成され、一般に高い危険性が存在する。その危険性とは、近辺にある上記ランプキャップを挟み付ける（pinch）ガラスが、比較的早期に壊れることであり、このこともまたランプアセンブリの故障をもたらす。
【発明の開示】
【発明が解決しようとする課題】
【０００３】
本発明は、改善されたランプアセンブリを提供するとともに、ランプキャップとバイアス手段との間の適切な電気接触を確保することを目的とする。
【課題を解決するための手段】
【０００４】
本発明の本目的は、本発明によるランプアセンブリに従って達成できる。ランプアセンブリは、上記バイアス手段上の多様な係合（multilateral  engagement）のため適合されることを特徴とし、上記バイアス手段は、上記ランプキャップと上記バイアス手段との間に適切な電気接触を確保する。ランプキャップが、複数の側部上の上記バイアス手段の係合のため適合されるよう、知られたランプキャップを、改良する。それによって、持続性のある、比較的強力且つ適切な電気接触を、上記ランプキャップと上記バイアス手段との間に実現できる。何故なら、点接触の形成（逸脱した寸法を備えたランプ保持器又は放電ランプの適用によってもまた形成される）を、防ぐことができ、したがって点接触は、もはや発生しないからである。上記ランプ保持器と上記放電ランプとの間の確実且つ安定的な電気接触は、それゆえ実現できる。何故なら点接触は、特別なランプキャップによって解消され、上記ランプキャップと上記バイアス手段との間にアーキングは発生せず、それによってこれら構成部品における又はこれら構成部品近くの実質的な熱発達を防止するからである。このやり方において、これらランプ構成部品の表面上の酸化過程を防ぐことができ、又は少なくとも満足のいくやり方において酸化の速度を遅らせることができる。更に、この低減された熱発達に起因して、放電ランプのガラス構成部品が、かなり改善された平均寿命を得る。したがって、上記放電ランプ又は上記ランプ保持器の故障が、従来ほど容易に発生しない。留意すべきは、上記バイアス手段は、圧力を上記ランプキャップにかけて上記放電ランプを所定位置に保持するが、このことは、プレストレスが、上記バイアス手段によって上記ランプキャップ上にかけられることであり、その目的は、上記放電ランプと上記ランプ保持器との間の相互向きを固定するためである。必ずしも、バイアス手段の複数の側部は、上記ランプキャップへ同時に力を印加しない。一般に、係合の仕方及び側部は、上記放電ランプ及び上記ランプ保持器の相互の相対的な寸法決めに依存する。しかしながら改良されたランプキャップの場合、常に確実且つ安定した係合が、上記ランプキャップ上の上記バイアス手段に成され、したがって適切且つ十分な相互電気接触を、達成できる。
【０００５】
好ましい実施形態において、上記導電性バイアス手段は、少なくとも部分的に板ばねによって形成される。板ばねは、開口、特に上記ランプキャップの（突出する）一部分のためのスロットによって提供されることができる。しかしながら、複数の協働するバイアス手段、特に板ばねは、上記ランプキャップをクランプするため設けられることもまた考えられる。
【０００６】
好ましくは、上記ランプキャップは、夫々反対側（opposite  sides）にある上記バイアス手段を係合するため適合される。より好ましい実施形態において、上記ランプキャップは、基部と対向部（counter  part）とを含み、基部は、上記放電ランプのピンチへ接続され且つ上記バイアス手段の一方の側を係合するよう適合され、対向部は、上記基部へ接続され且つ上記バイアス手段の反対側を係合するよう適合される。一般に、上記対向部は、上記基部から離れて位置付けられる。したがって、上記基部は、好ましくは突出するペンとともに設けられ、上記対向部は、突出するペンへと取り付けられる。上記バイアス手段は、一方の側にある上記基部及び反対側にある上記対向部によって包囲されるので、上記基部と上記対向部は両方とも、上記バイアス手段を安定して係合するよう適合されて、上記ランプキャップと上記ランプホルダとの間の確実且つ適切な電気接触を達成する。ランプ保持器及び放電ランプの両方が最適な寸法を有する理想的な状況下では、バイアス手段は、一般には単に基部を係合する。一方では、理想的でない状況下、たとえば上記放電ランプが逸脱した寸法を有する状況では、上記バイアス手段は、しばしば（単に）上記対向部へ係合する。しかしながら想定できることは、上記バイアス手段（の一部分）を、上記基部と上記対向部との間にクランプすることであり、この状態において上記基部及び上記対向部は、両方とも一定のバイアスの下で持続的に上記バイアス手段を係合する。好ましい実施形態において、上記基部及び上記対向部は、上述した上記バイアス手段において形成された開口を通じて延在するペンを用いて、相互接続される。上記対向部は、上記ペンへ強固に固定されることができ、ペンによってランプキャップは、単一の部品によって一体的に形成されることができる。しかしながら、別の好ましい実施形態において、上記対向部は、上記基部と取り外し可能に接続される。それによって上記対向部は、上記ペンへ異なったやり方で取り付けられることができる。異なったやり方とは、たとえば差込みキャッチ又はアレンスクリュー（商標）（ソケットキャップ）による取り付け方である。好ましくは、上記ペンは、外ねじとともに設けられるが、一方で上記対向部は、協働する内ねじとともに設けられる。したがって、上記基部と上記対向部との間の相互距離は、好ましくは調節可能であり、その目的は、本発明によるランプアセンブリの取り出しを容易にするためである。更に、相互距離は、最適化されて上記ランプキャップと上記ランプホルダとの間に持続的且つ適切な技術接触を確保することができる。しかしながら、好ましくは、上記基部と上記対向部との間の最小相互距離は、予め定められる。本発明によるランプアセンブリの構築を、不慣れな人物にとっても容易にするためである。
【０００７】
別の好ましい実施形態において、上記放電ランプは、２つのランプキャップと共に設けられ、各キャップは少なくとも１つのバイアス手段によって所定位置に保持される。両端型放電ランプは、一般には直線的に形成されたランプであり、直線的に形成されたランプにおいて、ランプキャップは、両極端で設けられる。それによって各ランプキャップは、上記放電ランプの単一電極へ接続される。それゆえ、各ランプキャップを、別々（のセット）のバイアス手段によって単純に係合することにより、ランプアセンブリを構築できる。それによって各ランプは、少なくとも双方性に上記バイアス手段を係合するよう適合される。
【０００８】
好ましい実施形態において、上記放電ランプは高輝度放電（ＨＩＤ）ランプによって形成される。ＨＩＤランプは、比較的効率的なランプである。この種のランプは、光を、比較的高輝度で生成可能であると同時にその容量を比較的小さく保つことができるからである。
【０００９】
本発明はまた、かかるランプアセンブリに用いる放電ランプにも係り、かかるランプアセンブリにおいて、上記放電ランプは、少なくともランプキャップとともに設けられ、ランプキャップは、ランプ保持器の一部分を成す少なくとも１つのバイアス手段上に多様な係合のため適合される。バイアス手段は、上記ランプキャップと上記バイアス手段との間の適切な電気接触を確保する。
【００１０】
本発明は更に、かかるランプアセンブリの構築方法にも係り、当該方法は、
ａ）放電ランプを所定位置に保持するため、上記放電ランプのランプキャップの基部にあるバイアス手段によって圧力がかけられるよう、上記放電ランプを上記ランプ保持器に置くステップと、
ｂ）上記バイアス手段と上記ランプキャップとの間の適切な電気接触を確保するよう、対向部を上記基部へ結合するステップと、
を有する。本発明による本方法の利点は、既に上記に包括的に説明されている。
【発明を実施するための最良の形態】
【００１１】
本発明を、以下の限定的でない複数の実施形態により示すことができる。
【００１２】
図１は、従来のランプアセンブリ１の一部分の斜視図を示す。ランプアセンブリ１は、ランプ保持器２及び放電ランプ３を含み、放電ランプ３は、二種の板ばね４、５を用いて上記ランプ保持器２へ接続される。第一種の板ばね４は、２つの相互に協働する板ばね４（１つのみを図示する）から成り、２つの板ばね４の間に上記放電ランプ３のランプキャップ６が、機械的にクランプされる。第２の板ばね５が、スロット７とともに設けられ、スロット７を通じてランプキャップ６が、延在する。第２の板ばね５は、双方性(bilateral)機能を有し、この第２板ばね５は、上記ランプキャップ６を機械的に確保するよう、且つ上記放電ランプ３への電力供給を可能にするため上記ランプ保持器２と上記放電ランプ３との間に電気接触を起こすよう、機械的且つ電気的に適合される。しかしながら、実際には、（最適な）電気接触は、ランプ保持器２及び放電ランプ３の両方が、理想的な相互寸法を有する場合にのみ起こることが分かっている。たとえば、放電ランプ３が、比較的短い長さを有する場合、最適且つ持続的な電気接触を確保できず、先に説明したような上記放電ランプ３の１つ又は複数の構成部品の故障を早めてしまう。
【００１３】
図２は、本発明によるランプアセンブリ８の一部分の詳細な斜視図を示す。ランプアセンブリ８の全体は、図３に示す。ランプアセンブリ８は、ランプ保持器９及び放電ランプ１０を含み、放電ランプ１０は、上記ランプ保持器９へ取り外し可能に接続される。この相互接続を達成するため、上記ランプ保持器９は、二種類の板ばね１１、１２とともに設けられる。第１のセットである２つの板ばね１１（図２には１つのみを示す）は、上記放電ランプ１０のランプキャップ１４の導電性の外側内筒１３を、一方的又は単機能的に（one-sidedly）クランプするよう適合される。第２の単一の板ばね１２は、上記ランプキャップ１４の基部１５上にプレストレスをかけるよう適合される。したがって、第２板ばね１２は、スロット１６とともに設けられ、スロット１６を通じて上記ランプキャップ１４のペン１７が、延在する。このスロット１６により、放電ランプ１０、特に上記ペン１７を、所定位置に比較的容易に置くことができる。スロット１６は、ボアによって置き換え可能であり、ボアを通じてペン１７は延在できることに留意されたい。複数の第２板ばね１２は、上記放電ランプ１０から離れた方向に又は上記放電ランプ１０の方向へ撓むよう適合されるからであり、スロット１６は、引き続きランプアセンブリ８の設置を容易にする。板ばね１１、１２を用いて、上記ランプ保持器９と上記放電ランプ１０との間の相互向きを、如何なる方向にも固定することができる。本実施形態において、電力は、第１板ばね１１及び第２板ばね１２の両方を介してランプキャップ１４へ供給されることができる。このやり方で、安定した、確実且つ適切な電力伝送を達成できる。この安定した且つ適切な電気接触を、導電性の外側内筒１３を用いた別のやり方で達成することが考えられる。想定される例を挙げるとすれば、上記ランプキャップ１４の外端を、別のやり方において厚くすることである。上記ランプキャップ１４の外端を厚くする別のやり方とは、たとえば導電性ナットを上記ランプキャップ１４の外端周りに適用するやり方、又は別の導電性の対向キャップを上記ランプキャップ１４の外端周りに適用するやり方であり、それにより上記ランプ保持器９と上記放電ランプ１０との間の持続的且つ十分な電気接触を確保する。したがって、キャップ１４地点の又はキャップ１４付近の局部温度がかなり上昇するということはなく、ランプ保持器９及びランプ１０は、両方とも比較的長寿命となる。
【００１４】
本発明は、図示され且つ本明細書に説明された例示的な実施形態には限定されないが、当業者には自明であろう多数の変形が、添付の請求項の範囲内で可能なことが明らかである。
【図面の簡単な説明】
【００１５】
【図１】従来のランプアセンブリの一部分の斜視図を示す。
【図２】本発明によるランプアセンブリの一部分の詳細な斜視図を示す。
【図３】図２に示すランプアセンブリの全体の斜視図を示す。
【図１】
2008501219.tif 000003
【図２】
2008501219.tif 000004
【図３】
2008501219.tif 000005
【国際調査報告】
2008501219.tif 000006
2008501219.tif 000007
2008501219.tif 000008